(57)【特許請求の範囲】
【請求項１】
分配包装体であって、
第１の方向に延びる折曲線が形成されるとともに、前記第１の方向と直交する第２の方向に前記折曲線を跨ぐように、互いに平行に延びる中空状の４つ以上の突条帯が表面に設けられた蓋と、
前記蓋の裏面側に設けられた２つのポケットを有するとともに、その周縁部が前記蓋の裏面に溶着された収納部と、を備え、
前記４つ以上の突条帯が、前記折曲線を起点として前記蓋をその裏面側に折り曲げたときに、前記折曲線に沿ってそれぞれ割損し、それらの断面が前記蓋の表面側に露出することにより、前記蓋に２つの吐出開口を形成可能であり、
前記２つの吐出開口が、前記２つのポケットに対応しており、
前記２つの吐出開口のうち少なくとも１つが、前記第１の方向に隣接する３つ以上の前記突条帯が割損することで形成される蛇腹状の吐出開口であり、
前記３つ以上の突条帯が、前記第１の方向の両端に位置しかつ前記３つ以上の突条帯を構成する他の隣接する突条帯よりも全長の長い一対の長辺突条帯を含み、
前記一対の長辺突条帯の前記第２の方向における一側の端部が、前記３つ以上の突条帯を構成する他の突条帯の前記第２の方向における一側の端部よりも、前記一対の長辺突条帯の長さの０．５〜５％だけ前記折曲線に近い位置に形成され、
前記４つ以上の突条帯は、前記折曲線に対して第２の方向の他側に偏在して設けられることを特徴とする分配包装体。
【請求項２】
請求項１に記載の分配包装体において、
前記２つの吐出開口のうち一方の吐出開口が、前記第１の方向に隣接する３つ以上の突条帯が割損することで形成される蛇腹状の吐出開口であり、他方の吐出開口が、１つの突条帯が割損することで形成される四角形状の吐出開口であり、
前記１つの突条帯が、前記長辺突条帯と略同じ全長を有することを特徴とする分配包装体。
【請求項３】
請求項１又は２に記載の分配包装体において、
前記一対の長辺突条帯のそれぞれが、前記他の隣接する突条帯の下端よりも低い位置から立ち上がる立ち上がり部を有することを特徴とする分配包装体。
【請求項４】
請求項１から３のいずれか１項に記載の分配包装体において、
前記３つ以上の突条帯が、前記他の隣接する突条帯に隣接しかつ前記一対の長辺突条帯とは異なる突条帯であって、前記長辺突条帯と略同じ全長又は前記他の隣接する突条帯と前記長辺突条帯の間の全長の突条帯を含むことを特徴とする分配包装体。
【発明の詳細な説明】
【技術分野】
【０００１】
本発明は、分配包装体に関する。
【背景技術】
【０００２】
＜背景技術の説明＞
従来、分配包装体に関し、各種の技術が提案されている（例えば、特許文献１参照）。
【０００３】
＜特許文献１の説明＞
特許文献１には、蓋の全体剛性を高めて変形を抑制する長辺突条帯と、蓋を折り曲げる力を折曲線に伝達する中辺突条帯と、吐出開口を湾曲させ易くするための短辺突条帯とが、折曲線の中点に対し点対称に並ぶように設けられた分配包装体が開示されている。この従来の分配包装体によれば、蓋を折り曲げたときに現れる蛇腹状の吐出開口を容易に湾曲させて、流動体に含まれている大きな粒径の固形物を容易に押し出すことができる。
【０００４】
＜要望される技術＞
ところで、近年、様々な種類の収納物に対応するため、２つの吐出口のそれぞれから異なる２つの流動体を押し出し可能であり、しかも、製品の輸送時や保管時における製品強度により優れた分配包装体が要望されている。
【先行技術文献】
【特許文献】
【０００５】
【特許文献１】特開２０１０−１２６２１６号公報
【発明の概要】
【発明が解決しようとする課題】
【０００６】
＜背景技術の課題＞
本発明は、このような事情に鑑みてなされたものであり、その目的は、２つの吐出開口のそれぞれから流動体を押し出し可能であり、かつ、上下方向に対する強度をより高めた分配包装体を提供することにある。
【課題を解決するための手段】
【０００７】
＜請求項１の内容＞
このような目的を達成するため、本発明は、以下の構成によって把握される。
（１）本発明は、分配包装体であって、第１の方向に延びる折曲線が形成されるとともに、前記第１の方向と直交する第２の方向に前記折曲線を跨ぐように、互いに平行に延びる中空状の４つ以上の突条帯が表面に設けられた蓋と、前記蓋の裏面側に設けられた２つのポケットを有するとともに、その周縁部が前記蓋の裏面に溶着された収納部と、を備え、前記４つ以上の突条帯が、前記折曲線を起点として前記蓋をその裏面側に折り曲げたときに、前記折曲線に沿ってそれぞれ割損し、それらの断面が前記蓋の表面側に露出することにより、前記蓋に２つの吐出開口を形成可能であり、前記２つの吐出開口が、前記２つのポケットに対応しており、前記２つの吐出開口のうち少なくとも１つが、前記第１の方向に隣接する３つ以上の前記突条帯が割損することで形成される蛇腹状の吐出開口であり、前記３つ以上の突条帯が、前記第１の方向の両端に位置しかつ前記３つ以上の突条帯を構成する他の隣接する突条帯よりも全長の長い一対の長辺突条帯を含み、前記一対の長辺突条帯の前記第２の方向における一側の端部が、前記３つ以上の突条帯を構成する他の突条帯の前記第２の方向における一側の端部よりも、前記折曲線に近い位置に形成されることを特徴とする。
【０００８】
＜請求項２の内容＞
（２）本発明は、上記（１）の構成において、前記２つの吐出開口のうち一方の吐出開口が、前記第１の方向に隣接する３つ以上の突条帯が割損することで形成される蛇腹状の吐出開口であり、他方の吐出開口が、１つの突条帯が割損することで形成される四角形状の吐出開口であり、前記１つの突条帯が、前記長辺突条帯と略同じ全長を有することを特徴とする。
【０００９】
＜請求項３の内容＞
（３）本発明は、上記（１）又は（２）の構成において、前記一対の長辺突条帯のそれぞれが、前記他の隣接する突条帯の下端よりも低い位置から立ち上がる立ち上がり部を有することを特徴とする。
【００１０】
＜請求項４の内容＞
（４）本発明は、上記（１）から（３）のいずれかの構成において、前記３つ以上の突条帯が、前記他の隣接する突条帯に隣接しかつ前記一対の長辺突条帯とは異なる突条帯であって、前記長辺突条帯と略同じ全長又は前記他の隣接する突条帯と前記長辺突条帯の間の全長の突条帯を含むことを特徴とする。
【発明の効果】
【００１１】
本発明によれば、２つの吐出開口のそれぞれから流動体を押し出し可能であり、かつ、上下方向に対する強度をより高めた分配包装体を提供することができる。
【図面の簡単な説明】
【００１２】
【図１】本発明の実施形態に係る分配包装体の斜視図である。
【図２】図１に示される分配包装体の底面図である。
【図３】図１に示される分配包装体の側面図である。
【図４】図１に示される分配包装体の平面図である。
【図５】図４のＡ−Ａ線断面図である。
【図６】実施形態に係る分配包装体の作用説明図であり、（ａ）は分配包装体の縁を把持した状態を示す図、（ｂ）は折曲線に沿って分配包装体を折り曲げて流動体を吐出させる状態を示す図である。
【図７】図６（ｂ）のＢ矢視図である。
【図８】他の実施形態に係る分配包装体の平面図である。
【発明を実施するための形態】
【００１３】
＜実施形態の説明＞
以下、添付図面を参照して、本発明を実施するための形態（以下、「実施形態」と称する）について詳細に説明する。実施形態の説明の全体を通して同じ要素には同じ番号を付している。
【００１４】
＜分配包装体の全体構成＞
まず、実施形態に係る分配包装体の構成を図１〜図５に基づいて説明する。
図１に示すように、分配包装体１０は、調味料などの流動体を密封収納するためのもので、ポリスチレン等の硬質樹脂材料の薄板から形成された矩形状の蓋２０と、この蓋２０の裏面側にその周縁部が固着された、可撓性材料からなる収納部３０とを備える。
【００１５】
＜収納部の構成＞
図２及び図３に示すように、収納部３０は、例えば、ポリエチレン等の可撓性を有する軟質樹脂の薄膜から形成され、蓋２０の裏面側に設けられた２つのポケット３１Ａ，３１Ｂを有する。２つのポケット３１Ａ，３１Ｂは、例えば、ソース、タルタルソース、ドレッシング、ジャム等の流動体を個別に収容可能であり、一方のポケット３１Ａが粒胡椒や野菜の断片といった大きな粒径の固形物を含んでいる流動体を収納し、他方のポケット３１Ｂが粒径の大きい固定物を含まない流動体を収納する。各ポケット３１Ａ，３１Ｂは、折曲線３５に重なるように形成される延在部３２Ａ，３２Ｂを有する。
【００１６】
＜蓋の構成＞
図４に示すように、蓋２０は、硬質の板材からなり、第１の方向（ここでは、蓋２０の短辺に平行な方向）に延びる折曲線３５がハーフカットによって形成されるとともに、第１の方向と直交する第２の方向（ここでは、蓋２０の長辺に平行な方向）に沿って、折曲線３５を跨ぐように互いに平行に延びる中空状の６つの突条帯４１〜４６（本発明にいう「中空状の４つ以上の突条帯」に相当）が表面に設けられる。また、蓋２０には、６つの突条帯４１〜４６と平行に形成される補強リブ３６が設けられる。
【００１７】
＜突条帯の構成−１＞
突条帯４１〜４６は、蓋２０を形成している薄板を上方に屈曲させることにより形成された部分であり、断面形状が中空状の三角形に形成される。
【００１８】
＜突条帯の構成−２＞
突条帯４１〜４６は、折曲線３５を起点として蓋２０をその裏面側に折り曲げたときに、折曲線３５に沿ってそれぞれ割損し、それらの断面４７（図７参照）が蓋２０の表面側に露出することにより、２つの吐出開口４８Ａ，４８Ｂ（図７参照）を蓋２０に形成可能である。これら２つの吐出開口４８Ａ，４８Ｂは、２つのポケット３１Ａ，３１Ｂに対応している。
【００１９】
＜突条帯の構成−３＞
図４に示すように、この例では、突条帯４１〜４６のうち５つの突条帯４１〜４５（本発明にいう「３つ以上の突条帯」に相当）は、蛇腹状の吐出開口４８Ａ（図７参照）を形成する。５つの突条帯４１〜４５は、第１の方向に隣接して並んでおり、延在部３２Ａにおいて折曲線３５と交差する。突条帯４１〜４６のうち１つの突条帯４６は、四角形状の吐出開口４８Ｂ（図７参照）を形成する。突条帯４６は、延在部３２Ｂにおいて折曲線３５と交差する。突条帯４６は、折曲線３５に対して第２の方向の一側（この例では、図４における右側）に偏在して設けられ、５つの突条帯４１〜４５は、折曲線３５に対して第２の方向の他側（この例では、図４における左側）に偏在して設けられる。
【００２０】
＜突条帯の構成−４＞
５つの突条帯４１〜４５のそれぞれは、蓋２０の表面に対して平行に延びる稜線をその頂部に有した中央部分５１と、この中央部分５１の稜線の第２の方向の一側に向かって蓋２０の表面へと傾斜する傾斜面５２ａ，５２ｂとを有する。また、５つの突条帯４１〜４５のそれぞれにおいて、中央部分５１の稜線の第２の方向における他側には、蓋２０の表面へと比較的緩やかに傾斜する傾斜面５２ｃが形成される。
【００２１】
＜長辺突条帯の構成＞
５つの突条帯４１〜４５のうち、第１の方向の両端に位置する一対の突条帯４１，４５は、他の隣接する突条帯４２，４４よりも全長の長い長辺突条帯である。そして、突条帯４１，４５の第２の方向における一側の端部（傾斜面５２ａの開始位置５２ａ１）は、他の突条帯４２〜４４の第２の方向における一側の端部（傾斜面５２ｂの開始位置５２ｂ１）よりも、距離Ｌだけ折曲線３５に近い位置に形成される。ここで距離Ｌは、突条帯４１，４５の長さの０．５〜５％の範囲に設定される。
【００２２】
＜短辺突条帯の構成＞
一対の突条帯４１，４５の内側に隣接する一対の突条帯４２，４４は、一対の突条帯４１，４５よりも全長の短い短辺突条帯である。
【００２３】
＜別の突条帯の構成＞
５つの突条帯４１〜４５のうち、一対の突条帯４２，４４に隣接しかつ一対の突条帯４１，４５とは異なる突条帯、つまり一対の突条帯４２，４４の間に配置される突条帯４３は、突条帯４１と略同じ全長又は突条帯４１と突条帯４２の間の全長を有する。この例では、突条帯４３は突条帯４１，４５と略同じ形状及び全長を有する。ここで略同じ全長とは、突条帯４３の全長が突条帯４１，４５の全長の０．９〜１．１倍を意味し、以後の説明においても同様とする。
【００２４】
＜１つの突条帯の構成＞
１つの突条帯４６は、突条帯４１，４５と略同じ全長を有する長辺突条帯である。また、突条帯４６は、平面視において、折曲線３５から蓋２０の第２の方向の端部に向けて、幅が徐々に小さくなるように形成される。
【００２５】
＜補強リブの構成＞
補強リブ３６は、折曲線３５を挟んで第２の方向の両側に設けたり、各突条帯４１〜４６の延長線上に設けたりすることができる。ここでは、補強リブ３６は、半長円形状の断面形状を有するが、補強リブ３６の断面形状は、特に限定するものではない。
【００２６】
＜立ち上がり部の構成＞
図５に示すように、一対の突条帯４１，４５は、一対の突条帯４１，４５の間に形成される他の突条帯４２〜４４の下端５３よりも低い位置から立ち上がる立ち上がり部５５を有する。このように形成される立ち上がり部５５は、突条帯４１，４５における上下方向の強度を高める作用をなす。
【００２７】
＜実施形態の作用−１＞
次に、分配包装体１０の作用を図６及び図７に基づいて説明する。
図６（ａ）に示すように、まず、収納部３０を上にして蓋２０の第２の方向両端を、２本の指Ｆで持つ。次いで、２本の指Ｆを近付けるように押圧して、折曲線３５を基点として蓋２０を下方に湾曲させる。
【００２８】
＜実施形態の作用−２＞
これにより、図６（ｂ）に示すように、蓋２０がＶ字状に折れ曲がって割れると同時に、複数の突条帯４１〜４６がそれぞれ２つに割れる。このとき、蓋２０は収納部３０を形成している薄膜に密着しているので、蓋２０は分離しない。
【００２９】
＜実施形態の作用−３＞
そして、図７に示すように、蓋２０が割れることにより、突条帯４１〜４６の断面４７が蓋２０の表面側に露出し、隣接して設けられた突条帯４１〜４５が蛇腹状の吐出開口４８Ａを形成し、１つの突条帯４６が四角形状の吐出開口４８Ｂを形成する。この際、全長の長い突条帯４１，４３，４５，４６により、蓋２０がしなってしまうことが防止されるため、吐出開口４８Ａ，４８Ｂがより確実に開口する。
【００３０】
＜実施形態の作用−４＞
さらに、２本の指Ｆを近付けると、蓋２０の折曲線３５を中心として蓋２０が鋭角のＶ字状に変形し、収納部３０の２つのポケット３１Ａ，３１Ｂが互いに他方を押圧する。これにより、ポケット３１Ａに収納されている粒径の大きい固定物を含む流動体が、蛇腹状の大きな吐出開口４８Ａから押し出され、ポケット３１Ｂに収納されている粒径の大きい固定物を含まない流動体が、四角形状の小さな吐出開口４８Ｂから押し出される。このとき、２本の指Ｆにより形成される蓋２０のＶ字状の角度（尖り具合）を調整することにより、押し出す流動体の量を調整する。
【００３１】
＜実施形態の効果＞
以上、説明した実施形態の効果について述べる。
本実施形態によれば、全長の長い突条帯４１，４３，４５，４６により、蓋２０がしなってしまうことを防止でき、吐出開口４８Ａ，４８Ｂをより確実に開口させることができる。また、突条帯４１，４５よりも全長の短い突条帯４２，４４では、上下方向の強度が高まるため、分配包装体１０の輸送時や保管時に吐出開口４８Ａ，４８Ｂが容易に開口してしまうことを防止することができる。また、一対の突条帯４１，４５の一側の端部（開始位置５２ａ１）を、他の突条帯４２〜４４の一側の端部（開始位置５２ｂ１）よりも折曲線３５寄りに形成したので、ハーフカット（折曲線３５）付近における一対の突条帯４１，４５の上下方向の強度を強化することができる。また、一対の突条帯４１，４５の立ち上がり部５５によって、上下方向の強度をより高めることができる。
【００３２】
＜他の実施形態の説明−１＞
続いて、分配包装体の他の実施形態を図８に基づいて説明する。なお、前述した分配包装体１０（図３参照）と共通する要素には同じ符号を付して、重複する説明を省略することとする。
【００３３】
＜他の実施形態の説明−２＞
前述した分配包装体１０（図３参照）においては、１つの蛇腹状の吐出開口４８Ａを有する構成を例示したが、蛇腹状の吐出開口４８Ａを２つ有する構成でもよい。
【００３４】
＜他の実施形態の説明−３＞
例えば、図８に示すように、分配包装体６０では、蛇腹状の吐出開口４８Ａ，を形成可能な５本の突条帯４１〜４５を蓋２０に２組設ける。５本の突条帯４１〜４５は、前述した分配包装体１０（図３参照）と同様な立ち上がり部５５（図５参照）を有する一対の突条帯４１，４５と、一対の突条帯４２，４４と、突条帯４３とからなる。このように構成される分配包装体６０においても、分配包装体１０（図３参照）と同様の作用効果が得られることに加え、２つのポケット３１Ａ，３１Ｂの両方に、粒径の大きい固定物を含む流動体を収納し、２つのポケット３１Ａ，３１Ｂのそれぞれから蛇腹状の吐出開口４８Ａ，４８Ｂを介して流動体を押し出すことができる。
【００３５】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３６】
１０    分配包装体
２０    蓋
３０    収納部
３１Ａ  ポケット
３１Ｂ  ポケット
３５    折曲線
４１    突条帯（長辺突条帯）
４２    突条帯
４３    突条帯
４４    突条帯
４５    突条帯（長辺突条帯）
４６    突条帯
４７    断面
４８Ａ  吐出開口
４８Ｂ  吐出開口
５２ａ１  傾斜面の開始位置（一側の端部）
５２ｂ１  傾斜面の開始位置（一側の端部）
５３    下端
５５    立ち上がり部
６０    分配包装体
Ｆ      指
【図１】
0006589105.tif 000002
【図２】
0006589105.tif 000003
【図３】
0006589105.tif 000004
【図４】
0006589105.tif 000005
【図５】
0006589105.tif 000006
【図６】
0006589105.tif 000007
【図７】
0006589105.tif 000008
【図８】
0006589105.tif 000009